(57)【要約】【課題】少なくとも下框が木製である障子の腐食を防止することができるサッシ、および障子を提供する。【解決手段】障子１２，１４の少なくとも下框１９は木製であり、木製の下框１９の下面には、戸車３８を収納する戸車収納溝６０が形成され、下框１９の下面であって、戸車収納溝３８の両側に位置する面１９ａには、木の表面を覆う保護板６２が設けられている。【選択図】        図３
2005068657.tif 000002
【特許請求の範囲】
【請求項１】
障子と、該障子を囲む枠体とを具備するサッシにおいて、
前記障子の少なくとも下框は木製であり、
該木製の下框の下面には、戸車を収納する戸車収納溝が形成され、
前記下框の下面であって、前記戸車収納溝の両側に位置する面には、木の表面を覆う保護板が設けられていることを特徴とするサッシ。
【請求項２】
前記戸車取付溝の内壁面である木の表面を覆う溝内保護板が設けられていることを特徴とする請求項１記載のサッシ。
【請求項３】
前記保護板と前記溝内保護板は一体に形成されていることを特徴とする請求項２記載のサッシ。
【請求項４】
前記枠体のうち前記障子の下方に設けられた下枠の上面には、
ほぼ平面状に形成されたフラット部と、
前記戸車の下部が進入して転動し、前記フラット部との間の段差壁により戸車の移動をガイドするように、フラット部よりも下方に凹んで形成された凹部と、
該凹部の底面において開口された排水孔とが形成されていることを特徴とする請求項１〜請求項３のうちいずれか１項記載のサッシ。
【請求項５】
前記保護板には、
前記下枠の上面に接触し、障子の下面と下枠の上面との間を閉塞する気密材が取り付けられていることを特徴とする請求項１〜請求項４のうちいずれか１項記載のサッシ。
【請求項６】
少なくとも下框が木製であり、
該木製の下框の下面には、戸車を回転自在に収納する戸車収納溝が形成され、
前記下框の下面であって、前記戸車収納溝の両側に位置する面には、木の表面を覆う保護板が設けられていることを特徴とする障子。
【請求項７】
前記戸車取付溝の内壁面である木の表面を覆う溝内保護板が設けられていることを特徴とする請求項６記載の障子。
【請求項８】
前記保護板と前記溝内保護板は一体に形成されていることを特徴とする請求項７記載の障子。
【発明の詳細な説明】
【０００１】
【発明の属する技術分野】
本発明は建築物の開口部に設けられるサッシおよび障子に関する。
【０００２】
【従来の技術】
従来からのサッシの枠体や、サッシに嵌め込まれる障子の框は、耐久性の良さなどの点からアルミニウム製であることが多い。
しかし、見た目の暖かさや雰囲気の良さ、さらには断熱性の良さなどの点では木製の方がアルミニウム製よりも優るため、木製の枠を用いたサッシや木製の框を用いた障子が見直されてきている（例えば、特許文献１参照）。
【０００３】
一方、身体に障害がある人や高齢者が暮らしやすいように、バリアフリーをコンセプトにした建築物の提案が多くなされている。
特に、ベランダやバルコニー等への行き来を、車椅子や、歩行が困難な人であってもスムーズに行なうことができるよう、下枠がほぼフラットに構成されているサッシが開発されている（例えば、特許文献２、特許文献３参照）。
【０００４】
【特許文献１】
特開２００２−６１４５９号公報
【特許文献２】
特開２００２−２２７５５１号公報
【特許文献３】
特開２００２−２２７５３７号公報
【０００５】
【発明が解決しようとする課題】
図８に示すように、下枠５がフラットに形成されているサッシの場合には、障子６の下面６ａと、下枠５の上面５ａとの間に入り込んだ水７が表面張力により障子６の下面６ａに付着し、流れ出ていくことが困難になる。
このとき障子６の下框８が木製であると、水が下框８に常時接触しているような状態になり、水によって障子６が腐食しやすいという課題がある。
【０００６】
そこで、本発明は上記課題を解決すべくなされ、その目的とするところは、少なくとも下框が木製である障子の腐食を防止することができるサッシ、および障子を提供することにある。
【０００７】
【課題を解決するための手段】
本発明は、上記目的を達成するために次の構成を備える。
すなわち、本発明にかかるサッシによれば、障子と、該障子を囲む枠体とを具備するサッシにおいて、前記障子の少なくとも下框は木製であり、該木製の下框の下面には、戸車を収納する戸車収納溝が形成され、前記下框の下面であって、前記戸車収納溝の両側に位置する面には、木の表面を覆う保護板が設けられていることを特徴としている。
この構成を採用することによって、障子の下框の下面と下枠の上面との間に水が溜まってしまう場合であっても、水が直接下框の木の表面には接触しないので、障子の腐食を防止することができる。
【０００８】
また、前記戸車取付溝の内壁面である木の表面を覆う溝内保護板が設けられていることを特徴とすれば、戸車取付溝の内壁面にも水が直接接触しないので、戸車取付溝における腐食も防止することができる。また、戸車取付溝が比較的幅狭である場合には、木の変形により幅方向に縮もうとする力が働くが、溝内保護板を設けたことにより戸車取付溝の強度を確保することができ、戸車取付溝の変形も防止することができる。
【０００９】
また、前記保護板と前記溝内保護板は一体に形成されていることを特徴とすることによって、保護板と溝内保護板との境目に隙間等がないので、木の表面への水の付着をさらに確実に防止することができる。また、部品点数の削減によるコストダウンも図ることができる。
【００１０】
さらに、前記枠体のうち前記障子の下方に設けられた下枠の上面には、ほぼ平面状に形成されたフラット部と、前記戸車の下部が進入して転動し、前記フラット部との間の段差壁により戸車の移動をガイドするように、フラット部よりも下方に凹んで形成された凹部と、該凹部の底面において開口された排水孔とが形成されていることを特徴としてもよい。
この構成を採用することによって、フラット面よりも凹んで形成された凹部に流れ込んで排水されるので排水効率がよく、下框へ水が接触する機会を更に減らし、障子の腐食防止に寄与する。しかも、戸車は凹部にガイドされるので、障子のスライド動作における直進性が確実であり、スムーズな障子のスライドが可能となる。
【００１１】
なお、前記保護板には、前記下枠の上面に接触し、障子の下面と下枠の上面との間を閉塞する気密材が取り付けられていることを特徴としてもよい。
これによれば、気密材により障子の下框と下枠との間の隙間が閉塞されるので、室内への外気の侵入および雨水の侵入を防ぐことができる。また、気密材を取り付けるための構造を保護板に設けることによって、気密材の取り付け部と保護板とが兼用され、部品点数の削減を図れる。
【００１２】
本発明にかかる障子によれば、少なくとも下框が木製であり、該木製の下框の下面には、戸車を回転自在に収納する戸車収納溝が形成され、前記下框の下面であって、前記戸車収納溝の両側に位置する面には、木の表面を覆う保護板が設けられていることを特徴としている。
この構成を採用することによって、水が直接下框の木の表面には接触しないので、障子の腐食を防止することができる。
【００１３】
また、前記戸車取付溝の内壁面である木の表面を覆う溝内保護板が設けられていることを特徴としてもよい。
これによれば、戸車取付溝の内壁面にも水が直接接触しないので、戸車取付溝における腐食も防止することができる。
【００１４】
さらに、前記保護板と前記溝内保護板は一体に形成されていることを特徴とすることによって、保護板と溝内保護板との境目に隙間等がないので、木の表面への水の付着をさらに確実に防止することができる。また、部品点数の削減によるコストダウンも図ることができる。
【００１５】
【発明の実施の形態】
以下、本発明にかかる好適な実施の形態を添付図面と共に詳細に説明する。  図１にサッシの側面断面図を、図２に平面断面図を示す。
【００１６】
サッシ１０は、内障子１２と、外障子１４が枠体に囲まれて設けられている。
まず、各障子の構成について説明する。
内障子１２および外障子１４は、ガラス板１６を挟み込み、且つ周囲を囲む框が設けられている。框は、上框１８と、戸車３８を有している下框１９と、召し合わせ框２１と、閉じたときに枠体に接触する位置にある竪框２２とから構成されている。
本実施形態における各框１８，１９，２１，２２は、木製である。木製の框とすることでアルミ製の框と比較して断熱効果を高めることができる。ただし、框の室外側は風雨や直射日光にさらされて損傷が激しくなるので、木が直接現われないようにアルミ製等の化粧板２４が装着されている。
なお、内障子１２および外障子１４のそれぞれの竪框２２には、金属製の取っ手兼締ロック連動装置２５が設けられている。
【００１７】
内障子１２および外障子１４の下框１９には、下方に向けて突出する戸車３８が設けられている。戸車３８は、１つの障子に対して複数個設けられる。なお、図示している戸車３８は、レール（図示しない）に嵌め込まれる溝３９が形成されているものであるが、本発明ではレールは存在しておらず、このような溝３９はなくてもよい。
【００１８】
各障子１２，１４の下框１９には、戸車３８が収納される戸車収納溝６０が形成されている。
戸車収納溝６０は、下框１９の幅方向全体にわたって形成されていてもよいし、戸車３８が取付けられる部位のみに形成されていてもよいが、本実施形態では下框１９の幅方向全体にわたって長尺に形成されているものであるとする。
【００１９】
図３に障子１２，１４の下部の拡大図を示し、また図４に保護板の説明図を示し、これらに基づいて木製である障子の下框１９の保護について説明する。
各障子１２，１４には、戸車収納溝６０の内壁面を含み、下框１９の下面全体を覆う保護板６２が取り付けられている。すなわち、本実施形態における保護板６２は、下框１９の木の表面が露出しないように下框１９の下面全体を覆っている。
保護板６２は、金属製や合成樹脂製であると良い。具体的には、アルミニウムやＰＶＣ等の材質が考えられる。
【００２０】
保護板６２についてさらに詳述すると、戸車収納溝６０の内壁面を覆うように形成された収納溝部６２ａと、戸車収納溝６０の両側に存する下框１９の下面１９ａの表面を覆う下面部６２ｂとを有している。つまり、保護板６２は、収納溝部６２ａの両下端部においてそれぞれ外方に向けて下面部６２ａが突出するように形成されているものである。
保護板６２の下面部６２ｂには、後述する気密材４０を装着するための気密材取り付け部である装着溝６３が形成されている。
本実施形態の保護板６２の下面部６２ｂは、装着溝６３が形成されている分だけその部分が上方に突出しているために、装着溝６３が形成されている部位とされていない部位との間で段差６４が形成されている。
【００２１】
気密材４０について説明する。
内障子１２および外障子１４の下框１９には、下枠３２の上面と接触して障子と下枠との間の隙間を閉塞するための気密材４０が設けられている。気密材４０は、各障子１２，１４の横方向に長尺に設けられて、下枠３２との間で隙間を生じさせないように設けられている。また気密材４０は、各障子１２，１４において戸車３８を挟んで室内側と室外側の２箇所に配置されている。
【００２２】
次に、枠体について図１，図２，図５に基づいて説明する。
枠体は、上下方向に延び、左右両側に設けられている竪枠２８，２８と、内障子１２と外障子の１４の上框１８をスライド可能に保持する上枠３０と、各障子１２，１４を載置する下枠３２とを具備している。
本実施形態における竪枠２８，２８および上枠３０はそれぞれ木製である。これら各枠を木製とすることでアルミ製の枠と比較して断熱効果を高めることができる。ただし、枠の室外側は風雨や直射日光にさらされて損傷が激しくなるので、木が直接現われないようにアルミ製等の化粧板３４が装着されている。
【００２３】
上枠３０の下面には、内障子１２および外障子１４のそれぞれの上方に設けられているスライド部材３６に連結して、内障子１２および外障子１４をスライドさせるスライドレール３５が設けられている。
【００２４】
下枠３２は、上面がほぼフラットに形成されている。このため、車椅子や歩行が困難な人であっても、各障子１２，１４を開けて下枠３２の上を通行することが極めて容易になる。
なお、下枠３２の上面は全体として見ればフラットであるが、各障子１２，１４の戸車３８，３８が配置される部位は、他の部位と比較して若干下方に凹んだ凹部４４として形成されている。このような凹部４４が形成されていることで、戸車３８の先端部が凹部４４内に転動可能となるように進入し、各障子１２，１４のスライド移動がガイドされてスムーズに行なえる。
【００２５】
凹部４４の形状を詳述すると、凹部４４は平面状に形成された底部４４ａと、底部４４ａからフラット部５０へ立ち上がるように形成された段差壁４４ｂとから構成されている。
１つの凹部４４の両側に設けられている段差壁４４ｂの間に戸車３８がはまり込む。つまり、凹部４４に進入した戸車３８の下部側面は段差壁４４ｂに当接するので、戸車３８の移動すなわち各障子１２，１４のスライド移動がガイドされる。これにより各障子１２，１４の直進運動が確実に行なえる。
なお、凹部４４の凹み深さは２ｍｍ程度に設定すると、車椅子や歩行が困難な人でも不自由なく通行可能となり、且つ戸車３８のガイドの役割も十分に果たせるので好適である。
【００２６】
各凹部４４の底部４４ａには、侵入した雨水等を排水するための排水孔４６が形成されている。排水孔４６は、凹部４４に沿って横方向（各障子のスライド方向）に延びており、横方向に長尺な隙間を形成している。
排水孔４６の下方は、排水孔４６に侵入した水を建築物の外側に排出するための通路部４７が形成されている。通路部４７は、内障子１２と外障子１４の両者の排水孔４６からの排水を受けるように設けられている。また、通路部４７の底面４７ａは、室外側へ向かって下りとなるような傾斜面として形成されており、侵入した雨水等の排出を確実に行なうことが可能となっている。
なお、排水孔４６から通路部４７へ至る途中には、雨水と一緒に侵入してきた塵やゴミ等を濾すための網状部材４８が設けられている。
【００２７】
下枠３２の構造についてさらに詳述する。
下枠３２は、建築物の開口部に取り付けられるベース部４２と、ベース部４２の上方に着脱自在に取り付けられて下枠３２の上面を形成する各部材とから構成される。ベース部４２の内部に、上述したような通路部４７が形成されている。
【００２８】
下枠３２の上面は、複数の部材がベース部４２に着脱自在に取り付けられていることにより構成されている。
具体的には、本実施形態の下枠３２は、ベース部４２に対して４つの部材が取り付けられている。
すなわち、外障子１４の下方には、排水孔４６を境として室外側に位置して凹部４４の室外側とフラット部５０ａとを形成している第１部材５２と、排水孔４６を境として室内側に位置して凹部４４の室内側とフラット部５０ｂとを形成している第２部材５４が、それぞれベース部４２に対して着脱自在に取り付けられている。
【００２９】
もう少し具体的に説明すると、第１部材５２は、下枠３２の室外側側面５１と、下枠３２の上面に存するフラット部５０ａと、凹部４４の室外側の段差壁４４ｂと、凹部４４の底部４４ａの一部（排水孔４６を挟んで室外側）とが一体になるように形成されている。
また、第２部材５４は、下枠３２の上面に存するフラット部５０ｂと、凹部４４の室外内側の段差壁４４ｂと、凹部４４の底部４４ａの一部（排水孔４６を挟んで室内側）とが一体になるように形成されている。
【００３０】
また、外障子１４と内障子１２との間には、フラット部５０ｃを形成している第３部材５６が、ベース部４２に対して着脱自在に取り付けられている。
第３部材５６の室内側には、内障子１２の下方に位置して排水孔４６を境として室外側に位置して凹部４４の室外側（凹部４４の室外側の段差壁４４ｂと、凹部４４の底部４４ａの一部（排水孔４６を挟んで室外側））と、フラット部５０ｄとを形成している第４部材５８が、ベース部４２に対して着脱自在に取り付けられている。
なお、内障子１２の下方に位置して排水孔４６を境として室内側に位置して凹部４４の室内側とフラット部５０ｅとを形成している部位は、ベース部４２と一体に形成されている。
なお、各部材５２，５４，５６，５８は、各部材とベース部４２の両者に設けられた鉤状に形成された係合部同士が互いに係合することで着脱自在に設けられ、且つねじ５９等によってベース部４２に固定されている。
【００３１】
図６にこれらの各部材５２，５４，５６，５８をベース部４２から取り外したところを示している。
このように、各部材５２，５４，５６，５８をベース部４２から取り外すには、まず各障子１２，１４を枠体から取り外しておく。そして、ねじ５９等を外し、各部材５２，５４，５６，５８の鉤状の係合部をベース部４２の鉤状の係合部から取り外して行なわれる。
【００３２】
各部材５２，５４，５６，５８を取り外すことにより、排水孔４６の下方に位置し、通路部４７に至る前に塵やゴミを濾し取る網状部材４８が表面に現われる。特に、第１部材５２を取り外すことによって、室外側側面５１も無くなるので、室外側からは、上方および側方から網状部材４８が現われることになる。このため、網状部材４８に付着している塵やゴミを清掃することが容易且つ確実に行なうことができ、網状部材４８の詰まりなどを防止することができる。
【００３３】
また、下枠３２のベース部４２は、室内側と室外側とでそれぞれ別々の部材４２ａ，４２ｂとして構成し、断熱材８４で互いに連結している。
このようにベース部４２を構成する２つの部材４２ａ，４２ｂを断熱材８４を用いて連結することによって、室外と室内との断熱を図り、結露の防止等を図ることができる。
【００３４】
なお、各障子１２，１４の各召し合わせ框２１ａ，２１ｂの外側には、排水孔４６に挿入されて障子全体をガイドするガイド片８２を設けても良い。
このようなガイド片８２を設けることで、障子のスライド移動時のガイドをさらに確実にすることができる。
【００３５】
次に、雨水の排水経路について説明する（図５参照）。
すなわち、矢印Ａのように障子の下面と下枠３２の上面との間に雨水が侵入すると、雨水はまず戸車３８の室外側に位置している気密材４０ａによってその浸入が防がれる。気密材４０ａを通り向けた雨水があっても凹部４４に流れ落ちて排水孔４６から排水される。さらに排水孔４６に排水されないで室内側に通り抜けた水があっても、戸車３８の室内側に位置する気密材４０ｂによって室内側への侵入が防止される。気密材４０ｂによりはね返された水は、凹部４４側へ戻り、排水孔４６から排水される。
【００３６】
排水孔４６から排水された水は、矢印Ｂのように、そのまま落下して網状部材４８を通過し、通路部４７に入り込む。
通路部４７の底面４７ａは室外側に向けて下るように傾斜しているので、通路部４７内に侵入した水は外部に向けて流れ出ていき、矢印Ｃのようにベース部４２の室外側の下部に設けられている排出口８０から排出される。
【００３７】
なお、上述した実施形態においては、保護板６２は、戸車収納溝６０の内壁面の表面を覆う収納溝保護板と、戸車収納溝６０が形成されている部分以外の下框１９の下面１９ａを覆う保護板とを一体に形成したものであった。
しかし、保護板６２の構成としては、このような構成に限定されることはなく、戸車収納溝６０の内壁面を覆う収納溝保護板と、下框１９の下面を覆う保護板とは一体ではなく別個の部材として設けてもよい。
【００３８】
また、上述した実施形態の保護板６２の形状は、気密材４０を装着するための装着溝６３の部分が上方に突出して下面部６２ｂの上面に段差が形成されているものであった。
しかし、保護板６２の形状としては、このような形状に限定されることはなく、図７に示すように、装着溝６３が下方に突出しており下面部６２ｂの上面には段差６４が形成されないような形状であってもよい。この形状によれば、下框１９の下面１９ａをフラットにできるので、下框１９の加工の手間等を削減できる。
【００３９】
また、本発明は内障子と外障子が引き違いに設けられている構造に限定されることはなく、障子がそれぞれ互いに接離動する両引き構造でも、障子が１枚しか設けられていない片引き構造であっても、さらには障子が３枚以上設けられている構造であってもよい。
【００４０】
以上本発明につき好適な実施形態を挙げて種々説明してきたが、本発明はこの実施形態に限定されるものではなく、発明の精神を逸脱しない範囲内で多くの改変を得るのはもちろんである。
【００４１】
【発明の効果】
本発明に係るサッシによれば、障子の下框の下面と下枠の上面との間に水が溜まってしまう場合であっても、水が直接下框の木の表面には接触しないので、障子の腐食を防止することができる。
【００４２】
請求項２および請求項７記載の発明によれば、戸車取付溝の内壁面にも水が直接接触しないので、戸車取付溝における腐食も防止することができる。また、戸車取付溝の強度を確保することができ、これにより戸車取付溝の変形も防止することができる。
請求項３および請求項８記載の発明によれば、保護板と溝内保護板との境目に隙間等がなく、木の表面への水の付着をさらに確実に防止することができる。また、部品点数の削減によるコストダウンも図ることができる。
【００４３】
請求項４記載の発明によれば、フラット面よりも凹んで形成された凹部に流れ込んで排水されるので排水効率がよく、下框へ水が接触する機会を更に減らし、障子の腐食防止に寄与する。しかも、戸車は凹部にガイドされるので、障子のスライド動作における直進性が確実であり、スムーズな障子のスライドが可能となる。
【００４４】
請求項５記載の発明によれば、気密材により障子の下框と下枠との間の隙間が閉塞されるので、室内への外気の侵入および雨水の侵入を防ぐことができる。また、気密材を取り付けるための構造を保護板に設けることによって、気密材の取り付け部と保護板とが兼用され、部品点数の削減を図ることができる。
【００４５】
本発明にかかる障子によれば、水が直接下框の木の表面には接触しないので、障子の腐食を防止することができる。
【図面の簡単な説明】
【図１】本発明のサッシの側面図である。
【図２】サッシの平面図である。
【図３】障子の下部について説明するための説明図である。
【図４】保護板の説明をするための斜視図である。
【図５】サッシと障子の下部について説明する説明図である。
【図６】図５において下枠の上面に取付けられている各部材を取り外したところを示す説明図である。
【図７】保護板の他の形態について説明するための説明図である。
【図８】障子の下框と下枠との間に水が溜まってしまった状態を説明するための説明図である。
【符号の説明】
１０    サッシ
１２    内障子
１４    外障子
１６    ガラス板
１８    上框
１９    下框
２１    召し合わせ框
２１ａ  外召し合わせ框
２１ｂ  内召し合わせ框
２２    竪框
２４    化粧板
２５    取っ手兼締ロック連動装置
２８  竪枠
３０    上枠
３２    下枠
３４    化粧板
３５    スライドレール
３６    スライド部材
３８    戸車
３９    溝
４０    気密材
４２    ベース部
４４    凹部
４４ａ  底部
４４ｂ  段差壁
４４ｃ  傾斜部
４６    排水孔
４７    通路部
４７ａ  底面
４８    網状部材
５０    フラット部
５１    室外側側面
５２    第１部材
５４    第２部材
５６    第３部材
５８    第４部材
６０  戸車収納溝
６２  保護板
６３  装着溝
６４  段差
８０    排出口
８２    ガイド片
８４  断熱材
【図１】
2005068657.tif 000003
【図２】
2005068657.tif 000004
【図３】
2005068657.tif 000005
【図４】
2005068657.tif 000006
【図５】
2005068657.tif 000007
【図６】
2005068657.tif 000008
【図７】
2005068657.tif 000009
【図８】
2005068657.tif 000010